(57)【要約】医療用バルブ（１０）は、入口（１４）および出口（１６）を形成する内部（１３）を有したハウジングを有している。長手方向に可動な部材（３４）は、ハウジングの内部に設けられている。流路（４１、４２、４３）は、可動な部材の外側であって上記内部の内側に存在する。可動な部材の動きは、流路を通る入口と出口との間の流体の流れを制御する。出口は、ノズルの引き抜きの間に、無視できるドローバックまたは正方向の押進を生成する。
2008540045.tif 000002
【特許請求の範囲】
【請求項１】
医療用バルブであって、
入口および出口を形成する内部を有しているハウジングと、
該内部の流路と、
該ハウジングの該内部に設けられた長手方向に可動な部材であって、該流路は、該可動な部材の外側にあり、該可動な部材の動きは、該流路を通る該入口と該出口との間の流体の流れを制御している、可動な部材と
を備えており、
該出口は、ノズルの引き抜きの間に、無視できるドローバックまたは正方向の押進を生成する、医療用バルブ。
【請求項２】
前記可動な部材は、中実である、請求項１に記載の医療用バルブ。
【請求項３】
前記可動な部材は、前記流路を通って前記入口から前記出口まで流体が流れることを可能にする第１の位置と、該流路を通って該入口から該出口まで流体が流れることを防止する第２の位置とを有しており、
該可動な部材は、該第１の位置と該第２の位置との間で遷移する実質的に静的な形状を有している、請求項１に記載の医療用バルブ。
【請求項４】
前記可動な部材は、前記流路を通って前記入口から前記出口まで流体が流れることを可能にする第１の位置と、該流路を通って該入口から該出口まで流体が流れることを防止する第２の位置とを有しており、
前記流路は、該第１の位置および該第２の位置の両方において、実質的に同じ体積を有している、請求項１に記載の医療用バルブ。
【請求項５】
前記出口は、前記ノズルの取り付けの間に、無視できるドローバックまたは正方向の押進を生成する、請求項１に記載の医療用バルブ。
【請求項６】
前記バルブは、前記流路を通って前記入口から前記出口まで流体が流れることを可能にする第１の位置と、該流路を通って該入口から該出口まで流体が流れることを防止する第２の位置とを有しており、
該バルブは、前記可動な部材を該第２の位置に向けてバイアスするためのバイアス部材をさらに含んでいる、請求項１に記載の医療用バルブ。
【請求項７】
前記バイアス部材は、バネである、請求項６に記載の医療用バルブ。
【請求項８】
前記バイアス部材は、空気穴を含んでいる、請求項７に記載の医療用バルブ。
【請求項９】
前記空気穴は、疎水性フィルタを含んでいる、請求項８に記載の医療用バルブ。
【請求項１０】
前記可動な部材は、前記ノズルに接触するための端部を有しており、該端部は、溝および突起のうちの少なくとも１つを含んでいる、請求項１に記載の医療用バルブ。
【請求項１１】
前記ハウジングと前記可動な部材との間の少なくとも１つの封止部
をさらに備えている、請求項１に記載の医療用バルブ。
【請求項１２】
前記可動な部材は、前記流路を通って前記入口から前記出口まで流体が流れることを可能にする第１の位置と、該流路を通って該入口から該出口まで流体が流れることを防止する第２の位置とを有しており、
該可動な部材は、前記ノズルに接触するための端部を有しており、
該端部は、該第２の位置において拭き取り可能である、請求項１に記載の医療用バルブ。
【請求項１３】
医療用バルブを通る流体の流れを制御する方法であって、該医療用バルブは、入口および出口を有するハウジングを含んでおり、該医療用バルブは、該ハウジングの内部に設けられた長手方向に可動な部材をさらに含んでおり、該方法は、
該入口にノズルを挿入することにより、該可動な部材を第１の位置に遷移させることであって、該第１の位置は、該入口と該出口との間で流体が流れることを可能にし、該入口と該出口との間を流れる流体は、該可動な部材の外側にある、ことと、
該入口からノズルを引き抜くことにより、該可動な部材を第２の位置に遷移させることであって、該第２の位置は、該入口と該出口との間で流体が流れることを防止し、該引き抜くことは、無視できるドローバックまたは正方向の押進を該出口に生成させることを含んでいる、ことと
を包含する、方法。
【請求項１４】
前記ノズルを挿入することは、無視できるドローバックまたは正方向の推進を生成する、請求項１３に記載の方法。
【請求項１５】
前記可動な部材は、前記第１の位置と前記第２の位置との間で遷移する実質的に静的な形状を有している、請求項１３に記載の方法。
【請求項１６】
前記バルブは、該バルブの前記内部の流路を含んでおり、
該流路は、前記第１の位置および前記第２の位置の両方において、実質的に同じ体積を有している、請求項１３に記載の方法。
【請求項１７】
前記可動な部材を前記第２の位置においてバイアスすること
をさらに包含する、請求項１３に記載の方法。
【請求項１８】
前記ハウジングの前記内部と該ハウジングの外側との間でガスを放出すること
をさらに包含する、請求項１７に記載の方法。
【請求項１９】
医療用バルブであって、該医療用バルブは、流体が流れることを可能にする開モードと、流体が流れることを防止する閉モードとを有しており、該医療用バルブは、
入口および出口を形成する内部を有しているハウジングと、
該内部の流路と、
該流路を通る該入口と該出口との間の流体の流れを制御するための変換手段であって、該流路は、該変換手段の外にある、変換手段と、
出口であって、該出口は、ノズルの引き抜きの間に無視できるドローバックまたは正方向の押進を生成する、出口と
を備えている、医療用バルブ。
【請求項２０】
前記変換手段は、前記内部で長手方向に動く、請求項１９に記載の医療用バルブ。
【請求項２１】
前記変換手段は、前記第１のモードと前記第２のモードとの間で遷移する実質的に静的な形状を有している、請求項１９に記載の医療用バルブ。
【請求項２２】
前記流路は、前記第１の位置および前記第２の位置の両方において、実質的に同じ体積を有している、請求項２０に記載の医療用バルブ。
【請求項２３】
前記出口は、前記ノズルの取り付けの間に、無視できるドローバックまたは正方向の押進を生成する、請求項１９に記載の医療用バルブ。
【発明の詳細な説明】
【技術分野】
【０００１】
本発明は、概して医療用バルブに関し、より詳細には、本発明は、流体のドローバック（ｄｒａｗｂａｃｋ）を実質的に排除した医療用バルブに関する。
【背景技術】
【０００２】
（背景）
一般的に、医療用のバルブデバイスは、しばしば密封されたポートとして機能し、上記ポートは、被験者の血管系の中に流体を非侵襲的に注入するために（あるいは被験者の血管系から流体を非侵襲的に取り出すために）、繰り返しアクセスされ得る。したがって、医療用バルブは、針によってそのような被験者の皮膚に繰り返し穴をあけることを必要とすることなく、被験者の血管系に自由にアクセスすることを可能にする。
【０００３】
医療関係者は、被験者の中に流体を注入するために（あるいは被験者から流体を抜き出すために）、適切に設けられた医療用バルブの近位ポートの中に注射器を挿入する。一旦挿入されると、注射器は、被験者の中に流体を注入する（あるいは被験者から流体を抜き出す）。しかしながら、注射器が引き抜かれるときに、問題が発生し得る。特に、注射器の引き抜きによって生成された背圧（すなわち、近位方向に向いた圧力）により、バルブに取り付けられたカテーテルの中に（あるいはバルブ自身の中に）血液が汲み上げられ得る。カテーテルまたはバルブにおける血液は、凝固してバルブの機械的動作を妨害することに加え、滅菌の質を落としてしまう。
【発明の開示】
【課題を解決するための手段】
【０００４】
（概要）
本発明の第１の実施形態にしたがうと、医療用バルブは、ノズルの引き抜きの間に、無視できるドローバックまたは正方向の押進を生成する。この目的を達成するために、上記医療用バルブは、入口および出口を形成する内部を有したハウジングを含んでいる。長手方向に可動な部材が、ハウジングの内部に設けられている。流路は、可動な部材の外側であってハウジングの内部に存在している。可動な部材の動きは、流路を通る入口と出口との間の流体の流れを制御する。上述のように、出口は、ノズルの引き抜きの間に、無視できるドローバックまたは正方向のプッシュバックを生成する。
【０００５】
本発明の関連する実施形態にしたがうと、可動な部材は、中実であり得る。出口は、ノズルの取り付けの間に、無視できるドローバックまたは正方向の押進を生成する。バルブはさらに、ハウジングと可動な部材との間の少なくとも１つの封止部を含み得る。
【０００６】
可動な部材は、流路を通って入口から出口まで流体が流れることを可能にする第１の位置と、流路を通って入口から出口まで流体が流れることを防止する第２の位置とを有し得る。可動な部材は、第１の位置と第２の位置との間で遷移する実質的に静的な形状を有し得る。流路は、第１の位置および第２の位置の両方において、実質的に同じ体積を有し得る。バルブはさらに、可動な部材を第２の位置に向けてバイアスさせるためのバイアス部材を含み得る。バイアス部材は、バネであり得る。バイアス部材は、空気穴を含み、上記空気穴は、疎水性フィルタをさらに含み得る。可動な部材は、ノズルに接触するための端部をさらに有し得、上記端部は、溝または突起のうちの少なくとも１つを含み得る。上記端部は、第２の位置において拭き取り可能であり得る。
【０００７】
本発明の別の実施形態にしたがうと、医療用バルブを通る流体の流れを制御する方法が提供される。医療用バルブは、入口および出口を有するハウジングを含んでいる。長手方向に可動な部材が、ハウジングの内部に設けられている。上記方法は、入口にノズルを挿入することにより、可動な部材を第１の位置に遷移させることを含んでいる。第１の位置において、流体は、入口と出口との間で流れることが可能であり、入口と出口との間の流体の流れは、可動な部材の外側にある。入口からノズルを引き抜くことは、可動な部材を第２の位置に遷移させ、第２の位置は、流体が入口と出口との間で流れることを防止する。引き抜くことは、上記出口に無視できるドローバックまたは正方向の押進を生成させることを含んでいる。
【０００８】
本発明の関連する実施形態にしたがうと、ノズルを挿入することは、無視できるドローバックまたは正方向の押進を生成し得る。可動な部材は、第１の位置および第２の位置の間で遷移する実質的に静的な形状を有し得る。バルブは、バルブ内部の流路を含み得、上記流路は、第１の位置および第２の位置の両方において、実質的に同じ体積を有している。上記方法はさらに、第２の位置において可動な部材をバイアスすること、および／またはハウジングの内部とハウジングの外側との間でガスを放出することを含み得る。
【０００９】
本発明の別の実施形態にしたがうと、医療用バルブは、流体が流れることを可能にする開モードと、流体が流れることを防止する閉モードとを有している。医療用バルブは、入口および出口を形成する内部を有したハウジングを含んでいる。流路は、入口と出口との間で、ハウジング内に存在している。変換手段は、流路を通る入口と出口との間の流体の流れを制御し、流路は、変換手段の外側にある。出口は、ノズルの引き抜きの間に、無視できるドローバックまたは正方向の押進を生成する。
【００１０】
本発明の関連する実施形態にしたがうと、変換手段は、内部において長手方向に動き得る。変換手段は、第１のモードおよび第２のモードの間で遷移する実質的に静的な形状を有し得る。流路は、第１の位置および第２の位置の間において、実質的に同じ体積を有し得る。出口は、ノズルの取り付けの間に、無視できるドローバックまたは正方向の押進を生成し得る。
【発明を実施するための最良の形態】
【００１１】
（特定の実施形態の詳細な説明）
本発明に関する上述の特徴は、添付の図面に関連させて、以下の詳細な説明を参照することにより、より容易に理解され得る。
【００１２】
例示的な実施形態において、医療用バルブは、実質的に、ノズルの引き抜きおよび／またはノズルの取り付けの間に、正方向の押進（ｐｏｓｉｔｉｖｅ  ｐｕｓｈ）とドローバックとのどちらも有さない。この目的を達成するために、そのようなバルブは、例えば、ノズルの引き抜きおよびノズルの取り付けの間に、実質的に静的な形状を維持する流路ならびに実質的に一定の体積を有し得る。例示的な実施形態は、以下で議論される。
【００１３】
図１は、医療用バルブ１０を概略的に示しており、本発明にしたがうと、上記医療用バルブは、注射器またはその他のタイプのノズルが、上記医療用バルブに接続されているときに、および／または上記医療用バルブから引き抜かれたときに、正方向の押進と流れのドローバック（「バックフロー（ｂａｃｋ−ｆｌｏｗ）」としても公知）とを実質的に排除するように構成され得る。バルブ１０は、ノズルを受け入れるための近位ポート１４と、バルブを通る流体の流れを制御する内部バルブ機構を有したバルブ本体１２（バルブ機構の様々な実施形態は、以後の図面に示される）と、バルブ１０と被験者との間に流体を案内するための遠位ポート１６とを含んでいる。遠位ポートは、図１に示されているような遠位ポートの位置に存在するか、または異なる位置、例えば、バルブ１０の長手方向の次元に直交する位置に存在し得る。本明細書中の議論のほとんどは、近位ポート１４を流体の入口として、遠位ポート１６を流体の出口として参照しているが、近位ポート１４および遠位ポート１６はまた、それぞれ出口ポートおよび入口ポートとしても用いられ得る。
【００１４】
図２は、閉位置における医療用バルブ１０の一実施形態の断面図を概略的に示しているが（図１における直線Ｘ−Ｘに沿って示されている）、図３は、開位置におけるバルブ１０を示している（例えば、ルアーテーパーノズル（ｌｕｅｒ−ｔａｐｅｒ  ｎｏｚｚｌｅ）８５によって作動されている）。バルブ１０は、近位ポート１４および遠位ポート１６を形成している内部１３を有したハウジングを含んでいる。ハウジングは、入口ハウジング部分１８および出口ハウジング部分２０から形成され得る。入口ハウジング部分および出口ハウジング部分は、例えば、硬質プラスチック材料（例えば、ポリカーボネート、ポリプロピレン、またはポリエチレン）から形成されており、互いにスナップフィットしている。例えば、ハウジング部分１８および２０は、米国特許第６，８９２，９９８号（その開示全体は、本明細書中に参考のために援用されている）の教示にしたがって、スナップフィットするように構成され得る。一部の実施形態は、スナップフィット型の構成要素として議論されているが、本発明の様々な実施形態は、スナップフィット手段またはその他の手段（例えば、接着剤または超音波溶接）のいずれかによって、結合され得ることに留意されたい。したがって、そのような実施形態は、スナップフィット型の構成要素に限定されることを意図されていない。
【００１５】
ハウジング部分１８および２０は、結合されたときに、内部１３を形成する。内部１３は、内部バルブ機構（以下で議論される）の動作に適合し、流体が流れることを可能にするように形成されている。近位ポート１４は、様々なタイプのノズル、例えば、ＡＮＳＩ／ＩＳＯ標準に適合するノズル（例えば、ＡＮＳＩおよび／またはＩＳＯ標準に適合するルアーノズル）を受け入れるように外形が決められている。
【００１６】
可動な部材３４が、内部１３に設けられている。上記可動な部材は、実質的に長手方向に（長手方向に限定されるわけではない）動くことにより、バルブ１０を通る流体の流れを制御し得る。流体は、好適には液体の形態（例えば、血液、食塩水、または液体の薬剤）であり、可動な部材３４により、入口ポート１４と出口ポート１６との間でバルブ１０の内部１３を通るように制御され得る。
【００１７】
可動な部材３４は、バネ３６により、遠位ポート１６に向けて動き過ぎることを防止されている（以下でより詳細に議論される）。さらに、可動な部材３４は、数ある方法の中でも特に、界面のフィッティング、溶接、および／または接着により、バネ３６に取り付けられ得、これにより、可動な部材３４は、近位ポート１４に向けて動き過ぎることを防止されている。様々な実施形態において、可動な部材は、ルアーノズルの挿入部３９の底部の縁に接触するフランジ３７を含み得（図５参照）、可動な部材３４が近位ポート１４に向けて動き過ぎることを防止されている。
【００１８】
図４は、本発明の実施形態にしたがう、可動な部材３４の等角図を概略的に示している。例示的な実施形態において、可動な部材３４は、流路部分を規定するボアを含んでいない。その結果、流路は、可動な部材３４の外側に存在する。可動な部材は、中実（ｓｏｌｉｄ）および／または剛性（ｒｉｇｉｄ）であり得る。可動な部材３４は、開位置と閉位置との間で遷移するときに、実質的に静的な形状を有し得、可塑性または高デュロメータの弾性材料から構成され得る（そのような弾性材料に限定されるわけではない）。しかしながら、本明細書中に議論されている機能を実行し得る範囲のその他の材料が用いられ得る。可動な部材の上端部は、少なくとも１つ以上の突起（例えば、リブまたは隆起）および／または溝７０を含み得る。溝７０または突起は、流体が流れ得る通路を形成している（以下でより詳細に議論される）。
【００１９】
再び図２を参照すると、バルブ１０が閉位置にあるときに、可動な部材３４は、ルアーノズルの挿入部３９に接触する。ルアーノズルの挿入部３９は、封止部として機能し、入口１４を介して流体が流路に入ること、あるいは入口１４を介して流体が流路から出て行くことを防止する。ルアーノズルの挿入部３９は、接着剤、２ショット注入成形プロセス、および／または界面のフィッティング（例えば、アンダーカット）を用いることにより（これらに限定されるわけではない）、ハウジングの内壁に取り付けられ得る。代替的に、ルアーノズルの挿入部３９は、閉位置においてハウジングの内壁に接触して封止部を形成することができるように、可動な部材３４に取り付けられ得る。ルアーノズルの挿入部３９は、熱硬化性材料（例えば、シリコン）、あるいは熱可塑性弾性材料（例えば、ｋｒａｔｏｎ）から構成され得（これらに限定されるわけではない）、米国特許第６，５８５，２２９号に記載されているタイプのものであり得る。上記米国特許は、その全体が本明細書中に参考のために援用される。様々な実施形態において、ルアーノズルの挿入部３９は、可動な部材３４に接触するときに、半径方向に圧縮され得る。
【００２０】
バルブ１０はまた、流路形成手段４０をも含んでおり、上記流路形成手段は、バルブを通る流路を形成し、動作を容易にする。特に、流路形成手段４０は、１つ以上の弾性または可塑性の挿入部を含んでいるか（そのような挿入部に限定されるわけではない）、あるいはハウジングと一体であり得る（すなわち、ハウジングの一部分である）。流体の流れを容易にするために、流路手段４０は、例えば、水平の流路４１を含み得、上記水平の流路は、長手方向に延びている流路４２につながっている。そのような流路４２は、追加的な水平方向の流路４３と合流し、上記追加的な水平の流路は、出口チャネル４４で終端している。
【００２１】
流路を形成することに加え、流路形成手段４０は、取り付け表面４４を含み得る。上記取り付け表面は、バルブのハウジングの様々な表面と協働して、バネ３６を固定し得る。バネ３６は、シリコンから構成され得（シリコンに限定されるわけではない）、可動な部材３４の遠位端部と接触し、通常バルブ１０が閉じられるように、可動な部材３４を動かす。様々な実施形態において、バネ３６は、閉位置においては、ニュートラルである（すなわち、圧縮も伸張もされていない）。その他の実施形態において、バネ３６は、バルブ１０が閉位置にあるときに、わずかに伸張される。
【００２２】
加えて、流路形成手段４０は、中央のキャビティ４５を含んでおり、上記中央のキャビティは、可動な部材３４の長手方向の運動を可能にする。可動な部材３４の長手方向の運動が原因で中央のキャビティ４７に蓄積された圧力を低減するために、空気穴４８が、中央のキャビティに接続され得る。空気穴４８は、フィルタ４９を含み得、上記フィルタは、例えば、滅菌グレードの疎水性ベントフィルタのようなものである。上記フィルタは、ガスが流れることを可能にするが、任意の流体および／または不純物が、中央のキャビティ４５に入ることを防止する。空気穴４８は、バルブ１０の外にガスが放出されることを可能にし得る。しかしながら、代替的な実施形態は、空気穴４８を省いている。
【００２３】
バルブ１０が完全に閉じた位置にあるとき、可動な部材３４の上端部５６は、ハウジングの外側の入口面と同じ高さであるか、あるいはハウジングの外側の入口面よりも僅かに上にあり得る。言い換えると、上端部５６および外側の入口面は、任意の従来的な手段によって、例えば、アルコールスワブを用いることにより、容易に拭き掃除され得る。上記で援用された様々な文書において言及されているように、拭き取り可能な表面を有しているバルブは、当該技術分野では、「拭き取り可能バルブ（ｓｗａｂｂａｂｌｅ  ｖａｌｖｅ）」として公知である。しかしながら、その他の実施形態において、バルブ１０は、拭き取り可能バルブではない。
【００２４】
図３に示されているように、近位ポート１４の中へのノズル８５（例えば、ルアーノズル）の挿入は、可動な部材３４を、長手方向に開位置まで動かす。開位置において、流体は、可動な部材３４の上端部における少なくとも１つの突起（例えば、リブまたは隆起）および／または溝７０によって形成された通路を通ることにより、ノズル８５から流れ得る（典型的に、可動な部材３４の上端部は、可動な部材３４が開位置に到達する前に、呼び水が入れられる）。上記通路を流れる流体はさらに、流路形成手段４０によって形成された流路の中に流れ、これにより、流体が入口１４と出口１６との間に流れることを可能にする。開動作の段階および閉動作の段階の間に、可動な部材３４が、例えば、流路の一部分を行き来する（ｔｒａｖｅｒｓｅ）ことに留意されたい。その結果、流路において、体積の変化は、実質的に発生しない。
【００２５】
流路における体積の変化が実質的にないので、ノズル８５が入口１４に挿入されたときおよびノズル８５が入口１４から引き抜かれたときの両方において、バルブ１０は、出口１６を通る無視できる正圧または負圧を生成する。言い換えると、そのような実施形態において、引き抜きおよび挿入の間に出口１６から押し出される流体の体積は、無視できる。この設計は、微小な正方向の押進および／またはドローバックを有しているので、「ニュートラル」なドローバックを有していると考えられ得る。実際に、この実施形態は、いずれかの方向において、無視できる量（例えば、１マイクロリットル未満）を有し得る。例えば、ノズルがテーパーを備えたルアーノズルである場合、上記テーパーは、開位置にあるときに、流路における無視できる体積の変化を引き起こし得るが、それは、テーパーのないノズルでは、生じ得ない。
【００２６】
図６および図７は、図２および図３に示されているのとは異なる方法で構成された医療用バルブ１０の別の断面図を概略的に示している。特に、この実施形態は、図５で示された可動な部材３４の実施形態とは異なる実施形態を組み込んでいる。より詳細には、可動な部材３４の上部にある少なくとも１つの突起６５および／または溝の代わりに、またはそれに加えて、可動な部材３４のこの実施形態は、可動な部材３４の上部から下に向けて延びる少なくとも１つの溝７２を有している。図６は、作動されていない／閉位置におけるバルブ８０を示しているが、図７は、ルアーテーパーノズル８５によって開／作動位置にあるバルブ８０を示している。バルブ８０は、図２および図３に示されているバルブ１０と同様な方法で機能するが、ノズル８５および可動な部材３４に関連する流体の流れ、ハウジング内に可動な部材３４を固定するためのフランジ３７の使用、ならびに中央のキャビティ４７に蓄積される圧力をさらに低減させるための追加的なキャビティ４９が異なっている。
【００２７】
より詳細には、挿入されると、ノズル８５のチップは、可動な部材３４と接触する。可動な部材３４が遠位ポート１６に向けて長手方向に動く際に、溝７２は、ルアーノズルの挿入部３９を通り過ぎて延びている。流体は、ノズル８５から、突起６５の間のギャップを通り、さらには溝７２を通り、流路形成手段４０の中に流れ、これにより、図７における点線７５に示されているように、流体の流れが入口１４と出口１６との間に形成されることを可能にする。
【００２８】
様々な実施形態において、溝７２は、ルアーノズルの挿入部３９（図３参照）上に配置され得る。溝７２は、ルアーノズルの挿入部３９の底端部から所定の距離だけ延在し得る。ノズル８５が挿入されると、可動な部材３４は、遠位ポート１６に向けて長手方向に運動し、その結果、可動な部材３４の上部の上にある隆起および／または溝７０によって形成された通路を通る流体は、ルアーノズルの挿入部３９上の溝７２の中に流れ、そして、流路の中に流れ得る。
【００２９】
図８および図９は、医療用バルブの別の実施形態の断面図を概略的に示している。図８は、作動されていない／閉位置にあるバルブ９０を示しているが、図９は、ルアーテーパーノズル８５によって作動されて開位置にあるバルブ９０を示している。バルブ９０は、様々な例外を除いて、上述のバルブの実施形態と同様な方法で動作する。例えば、バルブ９０は、複数の封止部９１を有しており、上記封止部は、図２における単一のルアーノズルの挿入部を代替しており、さらには可動な部材の近位端部を封止している。加えて、バネ３６は、ワイヤの圧縮バネであり、ステンレス鋼またはプラスチック（これらには限定されない）から構成され得る。図８および図９に示されているように、可動な部材３４は、固定バネ３６のための凹部を含み得る。
【００３０】
図１０および図１１は、医療用バルブのなおも別の実施形態の断面図を概略的に示している。図１０は、作動されていない閉位置にあるバルブ１００を示しているが、図１１は、ルアーテーパーノズル８５によって作動されて開位置にあるバルブ１００を示している。可動な部材３４の上部の上にある突起または溝の代わりに、可動な部材の上端部は、スプリット３３を含んでおり、上記スプリットは、その近位端部（すなわち、近位ポート１４に最も近い端部）から長手方向に延びている。好適な実施形態において、スプリット３３は、バルブ１０が閉位置にあるときに、それがルアーノズルの挿入部３９の下に近位方向に延びていないように、寸法が決められる。バルブ１０が閉位置にあるとき、ポスト３４は、ルアーノズルの挿入部３９と接触し、スプリット３３が閉じられたときに、流体がスプリット３３に流れること、および／または流体がスプリット３３から出ることを防止する。好適な実施形態において、ポスト３４は、ルアーノズルの挿入部３９と隣接しているときに、半径方向に圧縮され得る。
【００３１】
近位ポート１４の中へのノズル８５（例えば、ルアーノズル）の挿入により、ポスト３４は、開位置へと（半径方向および長手方向に）動かされる。ポスト３４の近位端部は、凹状であり得るので、ノズルがポスト３４を押圧し、ルアーノズルの挿入部３９を通り過ぎるように動かすときに、スプリット３３は開き得る。その位置にあるとき、流体は、ルアーノズルの挿入部３９から、スプリット３３を通り、さらに流路形成手段４０の中に流れ得、このようにして、図１１において点線で示されているように、流体が入口１４と出口１６との間を流れることを可能にする。
【００３２】
上記の議論は、本発明の様々な実施形態を開示しているが、当業者は、本発明の正しい範囲から逸れることなしに、本発明の一部の利点を実現し得る様々な改変を行うことができることを理解し得る。例えば、当業者は、上記で記載された実施形態の特徴を選択的に組み合わせることにより、所望の機能を有するバルブを形成することができる。
【図面の簡単な説明】
【００３３】
【図１】図１は、例示的な実施形態にしたがって構成され得る医療用バルブを概略的に示している。
【図２】図２は、本発明の実施形態にしたがう、閉位置における図１の医療用バルブの断面図を、概略的に示している。
【図３】図３は、本発明の実施形態にしたがう、開位置における図１の医療用バルブの断面図を、概略的に示している。
【図４】図４は、本発明の実施形態にしたがう、図１の医療用バルブの可動な部材の等角図を、概略的に示している。
【図５】図５は、本発明の実施形態にしたがう、可動な部材の代替的な実施形態の等角図を、概略的に示している。
【図６】図６は、本発明の実施形態にしたがう、閉位置における医療用バルブの断面図を、概略的に示している。
【図７】図７は、本発明の実施形態にしたがう、開位置における図６の医療用バルブの断面図を、概略的に示している。
【図８】図８は、本発明の実施形態にしたがう、閉位置における医療用バルブの断面図を、概略的に示している。
【図９】図９は、本発明の実施形態にしたがう、開位置における図８の医療用バルブの断面図を、概略的に示している。
【図１０】図１０は、本発明の実施形態にしたがう、閉位置における医療用バルブの断面図を、概略的に示している。
【図１１】図１１は、本発明の実施形態にしたがう、開位置における図１０の医療用バルブの断面図を、概略的に示している。
【図１】
2008540045.tif 000003
【図２】
2008540045.tif 000004
【図３】
2008540045.tif 000005
【図４】
2008540045.tif 000006
【図５】
2008540045.tif 000007
【図６】
2008540045.tif 000008
【図７】
2008540045.tif 000009
【図８】
2008540045.tif 000010
【図９】
2008540045.tif 000011
【図１０】
2008540045.tif 000012
【図１１】
2008540045.tif 000013
【国際調査報告】
2008540045.tif 000014
2008540045.tif 000015
2008540045.tif 000016
2008540045.tif 000017
2008540045.tif 000018